(57)【要約】　　　（修正有）【課題】使用しないときにハンドルを起立させることができる床ワイパーを提供する。【解決手段】基板１の一方の面に設けられた軸受３に軸支された軸に対してほぼ直角の方向に揺動自在に支持された支持部６が設けられたハンドルＨを備え、基板１の他方の面に払拭部２が設けられた床ワイパーであって、ワイパーが使用されないときにハンドルＨの起立状態を維持するためのほぼ円筒状の立設具を着脱自在に備え、該立設具の内面と軸受３および支持部６とが当接されてなることを特徴としている。【選択図】　　図１
0003098938.tif 000002
【実用新案登録請求の範囲】
【請求項１】
基板の一方の面に設けられた軸受に軸支された軸に対してほぼ直角の方向に揺動自在に支持された支持部が設けられたハンドルを備え、該基板の他方の面に払拭部が設けられた床ワイパーであって、
当該ワイパーが使用されないときに前記ハンドルの起立状態を維持するためのほぼ円筒状の立設具を着脱自在に備え、
該立設具の内面と前記軸受および支持部とが当接されてなる
ことを特徴とする床ワイパー。
【請求項２】
基板の一方の面に設けられた軸受に軸支された軸に対してほぼ直角の方向に揺動自在に支持された支持部が設けられたハンドルを備え、該基板の他方の面に払拭部が設けられた床ワイパーであって、
当該ワイパーが使用されないときに前記ハンドルの起立状態を維持するためのほぼ円筒状の立設具を着脱自在に備え、
前記軸受および支持部の外面に雄ねじが刻設され、前記立設具の内面に雌ねじが刻設され、前記立設具が前記軸受および支持部と螺合されてなる
ことを特徴する床ワイパー。
【請求項３】
基板の一方の面に設けられた軸受に軸支された軸に対してほぼ直角の方向に揺動自在に支持された支持部が設けられたハンドルを備え、該基板の他方の面に払拭部が設けられた床ワイパーであって、
当該ワイパーが使用されないときに前記ハンドルの起立状態を維持するためのほぼ円筒状の立設具を着脱自在に備え、
前記支持部の外面または軸受の外面の少なくとも一方に突起が設けられ、
前記立設具の内面に突起が設けられ、
前記立設具の使用時において、立設具に設けられた突起が支持部に設けられた突起の下方に位置づけられ、
前記立設具にヒンジが設けられてなる
ことを特徴とする床ワイパー。
【請求項４】
前記ハンドルの上部に溝が設けられ、
前記立設具の上端の内面に突起が設けられ、
前記立設具の上端の内面に設けられた突起が、前記ハンドルの上部に設けられた溝と係合することを特徴とする請求項１、２または３記載の床ワイパー。
【請求項５】
前記ハンドルの下部に溝が設けられ、当該溝と前記立設具の上端の内面に設けられた突起とが係合することを特徴とする請求項４記載の床ワイパー。
【請求項６】
前記ハンドルの上部に突起が設けられ、
前記立設具の上端の内面に溝が設けられ、
前記立設具の上端の内面に設けられた溝と、前記ハンドルの上部に設けられた突起とが係合することを特徴とする請求項１、２または３記載の床ワイパー。
【請求項７】
前記ハンドルの下部に突起が設けられ、当該突起と前記立設具の上端の内面に設けられた溝とが係合することを特徴とする請求項４記載の床ワイパー。
【考案の詳細な説明】
【０００１】
【考案の属する技術分野】
本考案は床ワイパーに関する。さらに詳しくは、床ワイパーを使用しないときにハンドルを立設するための立設具に関する。
【０００２】
【従来の技術】
床、畳などの清掃用具として、クイックル（登録商標）と称する床ワイパーが知られている。従来の床ワイパーは、図１に示されるように、基板１と、基板１の一方の面に設けられた軸受３に軸支された軸４に対してほぼ直角の方向に揺動自在に支持されたフォーク状（ないしは逆Ｙ字状）を呈した支持部６が設けられたハンドルＨを備えており、基板１の他方の面にはウレタンゴム製の払拭部２が設けられている。払拭部２の払拭面はシートＣによって覆われている。
【０００３】
【考案が解決しようとする課題】
叙上の従来の床ワイパーは、ハンドルＨが、軸受３に軸支された軸４に対してほぼ直角の方向に揺動自在に支持されたフォーク状（ないしは逆Ｙ字状）を呈した支持部６を備えていることによって、ハンドルＨが３６０度にわたって揺動可能であり、家具と家具との間の隙間や、壁と家具との間の隙間や、テーブルの下の清掃を容易にすることができるという利点を有しているのであるが、この利点は、床ワイパーを使用しないときに壁などにハンドルを立て掛けると、倒れやすいという問題を引き起こす。
【０００４】
本考案は、かかる従来の床ワイパーの問題を解消し、使用しないときにハンドルを起立させることができる床ワイパーを提供することを目的とする。
【０００５】
【課題を解決するための手段】
本考案の第１の態様は、基板の一方の面に設けられた軸受に軸支された軸に対してほぼ直角の方向に揺動自在に支持された支持部が設けられたハンドルを備え、該基板の他方の面に払拭部が設けられた床ワイパーであって、
当該ワイパーが使用されないときに前記ハンドルの起立状態を維持するためのほぼ円筒状の立設具を着脱自在に備え、
該立設具の内面と前記軸受および支持部とが当接されてなる
ことを特徴とする床ワイパー。
【０００６】
本考案の第２の態様は、基板の一方の面に設けられた軸受に軸支された軸に対してほぼ直角の方向に揺動自在に支持された支持部が設けられたハンドルを備え、該基板の他方の面に払拭部が設けられた床ワイパーであって、
当該ワイパーが使用されないときに前記ハンドルの起立状態を維持するためのほぼ円筒状の立設具を着脱自在に備え、
前記軸受および支持部の外面に雄ねじが刻設され、前記立設具の内面に雌ねじが刻設され、前記立設具が前記軸受および支持部と螺合されてなる
ことを特徴としている。
【０００７】
本考案の第３の態様は、基板の一方の面に設けられた軸受に軸支された軸に対してほぼ直角の方向に揺動自在に支持された支持部が設けられたハンドルを備え、該基板の他方の面に払拭部が設けられた床ワイパーであって、
当該ワイパーが使用されないときに前記ハンドルの起立状態を維持するためのほぼ円筒状の立設具を着脱自在に備え、
前記支持部の外面または軸受の外面の少なくとも一方に突起が設けられ、
前記立設具の内面に突起が設けられ、
前記立設具の使用時において、立設具に設けられた突起が支持部に設けられた突起の下方に位置づけられ、
前記立設具にヒンジが設けられてなる
ことを特徴としている。
【０００８】
また、前記ハンドルの上部に溝が設けられ、
前記立設具の上端の内面に突起が設けられ、
前記立設具の上端の内面に設けられた突起が、前記ハンドルの上部に設けられた溝と係合することが好ましい。
【０００９】
また、前記ハンドルの下部に溝が設けられ、当該溝と前記立設具の上端の内面に設けられた突起とが係合することが好ましい。
【００１０】
また、前記ハンドルの上部に突起が設けられ、
前記立設具の上端の内面に溝が設けられ、
前記立設具の上端の内面に設けられた溝と、前記ハンドルの上部に設けられた突起とが係合することが好ましい。
【００１１】
また、前記ハンドルの下部に突起が設けられ、当該突起と前記立設具の上端の内面に設けられた溝とが係合することが好ましい。
【００１２】
【考案の実施の形態】
添付図面を参照しながら本考案の床ワイパーを詳細に説明する。
【００１３】
図１は本考案の一実施の形態にかかわる床ワイパーを示す概略説明図、図２は本考案の他の実施の形態にかかわる床ワイパーの要部を示す説明図、図３は本考案のさらに他の実施の形態にかかわる床ワイパーの要部を示す説明図、図４は図３のＡ−Ａ線断面図である。
【００１４】
実施の形態１
本実施の形態にかかわる床ワイパーは、図１に示されるように、基板１の一方の面（すなわち、上面）に設けられた軸受３と、軸受３に軸支された軸４に対してほぼ直角の方向に揺動自在に支持された支持軸５を介して支持部６が設けられたハンドルＨとを備えている。基板１の他方の面（すなわち、下面）には、たとえばウレタンゴムから製造された払拭部２が設けられている。
【００１５】
本実施の形態の床ワイパーは、床ワイパーを使用しないときにハンドルＨの起立状態を維持するために、ほぼ円筒状を呈した立設具１０を着脱自在に備えている。立設具１０の内面は、軸受７および支持部６と当接されている（図１）。立設具１０の上端には突起１０ａが設けられており、床ワイパーの使用時に立設具１０を上部に移動させると、突起１０ａはハンドルＨの上部に形成された溝Ｈｇと係合する。なお、本考案において、突起は凹凸を含み、溝は穴を含む。
【００１６】
立設具１０の素材としては特定の材料に限定されることはなく、金属材料、合成樹脂材料、木材またはこれらの２種以上を組み合わせたものが採用される。たとえば、立設具１０の材料として可撓性を有する合成樹脂を採用すると、図１に示されるように、溝Ｈｇから突起１０ａが離脱している場合（すなわち、床ワイパーを使用しないとき）、立設具１０の上部がハンドルＨから離れる方向に僅かに撓み、ハンドルＨが突起１０ａに押圧される。このため、床ワイパーが使用されないとき、立設具１０の内面と軸受３および支持部５との当接と、突起１０ａのハンドルＨへの押圧とにより、立設具１０の嵌合状態が確実に保持されるという利点がある。立設具１０の嵌合状態をより確実に維持し得るようにするために、図１に示される突起１０ａと当接しているか部位に前述の溝Ｈｇと同じ溝をハンドルＨの下部に形成することもできる。このようにハンドルＨの上部および下部に溝を設ける代わりに突起を設けてもよい。この場合、突起１０ａの代わりに立設具１０の上部に溝を設ければよい。
【００１７】
実施の形態２
本実施の形態の床ワイパーは、実施の形態１と同様に、基板１の一方の面（すなわち、上面）に設けられた軸受３と、軸受３に軸支された軸４（図１参照）に対してほぼ直角の方向に揺動自在に支持された支持軸５を介して支持部６が設けられたハンドルＨとを備えている。基板１の他方の面（すなわち、下面）には、たとえばウレタンゴムから製造された払拭部２が設けられている。
【００１８】
本実施の形態の床ワイパーの場合、軸受３および支持部６の外面に雄ねじ６ｍが刻設されている。また立設具１０の内面には、雌ねじ１０ｆが刻設されている。このため、床ワイパーが使用されないとき、立設具１０は、軸受３および支持部６と螺合されるため、立設具１０の嵌合状態が確実に保持される。
【００１９】
実施の形態３
本実施の形態の床ワイパーは、実施の形態１〜２と同様に、基板１の一方の面（すなわち、上面）に設けられた軸受３と、軸受３に軸支された軸４（図１参照）に対してほぼ直角の方向に揺動自在に支持された支持軸５を介して支持部６が設けられたハンドルＨとを備えている。基板１の他方の面（すなわち、下面）には、たとえばウレタンゴムから製造された払拭部２が設けられている。
【００２０】
本実施の形態の場合、支持部６の外面（または軸受３の外面）に突起６ｐが設けられている（図３参照）。
【００２１】
一方、立設具１０の内面にも突起１０ｐが設けられている。このため、図３に示されるように、立設具１０の使用時において、立設具１０に設けられた突起１０ｐは支持部６に設けられた突起６ｐの下方に位置づけることができる。したがって、床ワイパーが使用されないとき、立設具１０の上方への移動が防止され、立設具１０の嵌合状態が確実に保持される。また、立設具１０の側面にはヒンジ１０ｈが設けられている（図４参照）。このため、立設具１０はヒンジ１０ｈを中心として観音開き状に開放したり、その逆に閉じることができる。
【００２２】
【考案の効果】
本考案によれば、使用しないときにハンドルを起立させることができる床ワイパーを提供することができる。
【図面の簡単な説明】
【図１】本考案の一実施の形態にかかわる床ワイパーを示す概略説明図である。
【図２】本考案の他の実施の形態にかかわる床ワイパーの要部を示す説明図である。
【図３】本考案のさらに他の実施の形態にかかわる床ワイパーの要部を示す説明図である。
【図４】図３のＡ−Ａ線断面図である。
【符号の説明】
１　　基板
２　　払拭部
３　　軸受
４　　軸
５　　支持軸
６　　支持部
６ｍ　雄ねじ
６ｐ　突起
１０ａ　突起
１０ｆ　雌ねじ
１０ｈ　ヒンジ
１０ｐ　突起
Ｈ　　ハンドル
【図１】
0003098938.tif 000003
【図２】
0003098938.tif 000004
【図３】
0003098938.tif 000005
【図４】
0003098938.tif 000006